【手続補正書】
【提出日】平成29年9月26日(2017.9.26)
【手続補正１】
【補正対象書類名】特許請求の範囲
【補正対象項目名】全文
【補正方法】変更
【補正の内容】
【特許請求の範囲】
【請求項１】
タッチセンサ検出システムであって、
（ａ）タッチセンサアレイ（ＴＳＡ）と、
（ｂ）アレイ列駆動回路（ＡＣＤ）と、
（ｃ）列切り換えレジスタ（ＣＳＲ）と、
（ｄ）列駆動ソース（ＣＤＳ）と、
（ｅ）アレイ行センサ（ＡＲＳ）と、
（ｆ）行切り換えレジスタ（ＲＳＲ）と、
（ｇ）アナログ／デジタル変換器（ＡＤＣ）と、
（ｈ）計算制御デバイス（ＣＣＤ）と
を備え、
前記ＴＳＡは、可変インピーダンスアレイ（ＶＩＡ）列及びＶＩＡ行を含むＶＩＡを備え、
前記ＶＩＡは、前記ＴＳＡ内の複数の相互リンクインピーダンス列（ＩＩＣ）を前記ＴＳＡ内の複数の相互リンクインピーダンス行（ＩＩＲ）に電気的に結合するように構成され、
前記ＩＩＣは、前記ＶＩＡ列間に電気的に直列接続される複数の個々列インピーダンス要素（ＩＣＩＥ）を更に備え、
前記ＩＩＲは、前記ＶＩＡ行間に電気的に直列接続される複数の個々行インピーダンス要素（ＩＲＩＥ）を更に備え、
前記ＡＣＤは、前記ＣＳＲに基づいて前記ＴＳＡ内の前記ＩＩＣを選択するように構成され、
前記ＡＣＤは、前記ＣＤＳを使用して前記選択されたＩＩＣを電気的に駆動するように構成され、
前記ＡＲＳは、前記ＲＳＲに基づいて前記ＴＳＡ内の前記ＩＩＲを選択するように構成され、
前記ＡＤＣは、前記選択されたＩＩＲの電気状態を検知し、且つ前記電気状態を検知デジタル値（ＳＤＶ）に変換するように構成され、
前記電気状態は、前記ＶＩＡ内の可変インピーダンス要素の電流寄与の和によって特定され、各要素の前記電流寄与は、前記ＶＩＡの前記列間に形成される電圧駆動回路、前記ＶＩＡの前記行間に形成される電流駆動回路、及び前記インピーダンス要素の前記状態によって特定されて、前記ＶＩＡとの所与の行−列交点の検知電流を生成し、及び
前記ＣＣＤは、前記ＴＳＡ内の複数の位置において前記ＡＤＣから前記ＳＤＶをサンプリングして、タッチセンサ行列（ＴＳＭ）データ構造を形成するように構成される、タッチセンサ検出システム。
【請求項２】
前記ＣＤＳは、
ＤＣ電圧源、ＡＣ電圧源、任意波形生成器（ＡＷＧ）電圧源、ＤＣ電流源、ＡＣ電流源、及び任意波形生成器（ＡＷＧ）電流源からなる群から選択される電源を含むか、又は、
異なる周波数で動作する複数のＡＣ電源を備える、請求項１に記載のタッチセンサ検出システム。
【請求項３】
前記ＣＳＲは、
前記ＩＩＣの個々の各外部列を、開回路、ゼロ電位電圧源、前記ＣＳＲによって定義される電圧源、前記ＣＳＲによって定義される電流源、前記ＣＤＳから導出される電圧、及び前記ＣＤＳから導出される電流からなる群から選択される電源タイプに電気的に結合するように構成されるか、又は、
前記ＩＩＣの外部列を、開回路、ゼロ電位電圧源、前記ＣＳＲによって定義される電圧源、前記ＣＳＲによって定義される電流源、前記ＣＤＳから導出される電圧、及び前記ＣＤＳから導出される電流からなる群から選択される単一の電源に電気的に結合するように構成される、請求項１に記載のタッチセンサ検出システム。
【請求項４】
前記ＲＳＲは、
前記ＩＩＲの個々の各外部行を、開回路、ゼロ電位電圧源、前記ＲＳＲによって定義される電圧源、前記ＲＳＲによって定義される電流シンク、及び前記ＡＤＣからなる群から選択される電気シンクタイプに電気的に結合するように構成されるか、又は、
前記ＩＩＲの外部行を、開回路、ゼロ電位電圧源、前記ＲＳＲによって定義される電圧源、前記ＲＳＲによって定義される電流シンク、及び前記ＡＤＣからなる群から選択される単一の電気シンクに電気的に結合するように構成される、請求項１に記載のタッチセンサ検出システム。
【請求項５】
前記ＩＣＩＥは、前記ＶＩＡの隣接する列を電気的に結合する複数の抵抗を備え、且つ前記ＩＲＩＥは、前記ＶＩＡの隣接する行を電気的に結合する複数の抵抗を備える、請求項１に記載のタッチセンサ検出システム。
【請求項６】
前記ＶＩＡは、
感圧抵抗素子のアレイを備え、前記感圧抵抗素子のアレイは、前記アレイの行を前記アレイの列に電気的に結合するように構成され、前記電気結合は、前記ＴＳＡに加えられる圧力に基づいて変化するか、又は、
物理列を更に備え、前記物理列は、前記物理列と物理行との交点に配置される感圧センサ要素を介して前記物理行に電気的に結合され、前記感圧センサ要素は、前記交点のサブセットのみに存在して、成形センサアレイを形成するか、又は、
インピーダンス要素のアレイを備え、前記インピーダンス要素のアレイは、前記アレイの行を前記アレイの列に電気的に結合するように構成され、前記ＶＩＡインピーダンス要素はそれぞれ、前記ＩＣＩＥよりも大きいインピーダンスの大きさを有するか、又は、
前記アレイの行を前記アレイの列に電気的に結合するように構成されるインピーダンス要素のアレイを備え、前記ＶＩＡインピーダンス要素はそれぞれ、前記ＩＲＩＥよりも大きいインピーダンスの大きさを有するか、又は、
前記アレイの行を前記アレイの列に電気的に結合するように構成されるインピーダンス要素のアレイを備え、前記ＶＩＡインピーダンス要素はそれぞれ、前記ＩＣＩＥ及び前記ＩＲＩＥの両方よりも大きいインピーダンスの大きさを有するか、又は、
非矩形アレイ構造を備えるか、又は、
直交行及び列検知要素のアレイを備えるか、又は、
行及び列検知要素の半径方向アレイを備えるか、又は、
行及び列検知要素の楕円形アレイを備えるか、又は、
容量高感度要素のアレイを備え、前記容量高感度要素のアレイは、前記アレイの行を前記アレイの列に電気的に結合するように構成され、前記電気結合は、前記ＴＳＡによって検知されるキャパシタンスに基づいて変化するか、又は、
容量高感度要素及び感圧要素のアレイを備え、前記容量高感度要素及び感圧要素のアレイは、前記アレイの行を前記アレイの列に電気的に結合するように集合的に構成され、前記電気結合は、前記アレイの行と前記アレイの列との交点において前記ＴＳＡによって検知されるキャパシタンス及び圧力に基づいて変化するか、又は、
物理行に電気的に結合される物理列を更に備え、前記物理列は、前記物理列と前記物理行との交点に配置される容量高感度センサ要素を介して前記物理行に電気的に結合され、前記容量高感度センサ要素は、前記交点のサブセットのみに存在して、成形センサアレイを形成する、請求項１に記載のタッチセンサ検出システム。
【請求項７】
前記ＣＣＤは、
前記ＣＳＲ及び前記ＲＳＲの構成を動的に変更することによって前記ＡＤＣによりサンプリングされる前記ＴＳＡの有効面積を変更するように構成されるか、又は、
前記ＴＳＭを分析し、且つ前記ＴＳＡ上の複数の補間位置、前記ＴＳＡ上の複数の補間最大圧力位置、前記ＴＳＡに加えられる複数の補間総合力、前記ＴＳＡで検知される複数の補間総合面積、前記ＴＳＡ上の複数の補間圧力位置、前記ＴＳＡ上の複数の検出形状、前記ＴＳＡ上の複数の検出楕円の補間位置からなる群から選択されるデジタルポインタ値（ＤＰＶ）のベクトルを生成するように構成され、前記楕円のそれぞれは、長径、短径、及び回転向きを含むか、又は、
前記ＣＳＲ及び前記ＲＳＲが変更されるレート及び前記ＡＤＣがサンプリングされるレートを変更するように構成されるか、又は、
ＶＩＡ力圧力検知データ及びＶＩＡ容量性タッチ検知データを収集し、且つ前記ＴＳＭに記憶するように構成されるか、又は、
前記ＴＳＭをデジタルデータプロセッサ（ＤＤＰ）に送信するように構成されるか、又は、
前記ＴＳＭを分析し、且つ前記ＴＳＡ上の補間位置に対応するデジタルポインタ値（ＤＰＶ）を生成するように構成されるか、又は、
前記ＴＳＭを分析し、且つ前記ＴＳＡ上の補間最大圧力位置に対応するデジタルポインタ値（ＤＰＶ）を生成するように構成されるか、又は、
前記ＴＳＭを分析し、且つ前記ＴＳＡに加えられる補間総合力に対応するデジタルポインタ値（ＤＰＶ）を生成するように構成されるか、又は、
前記ＣＣＤは、前記ＴＳＭを分析し、且つ前記ＴＳＡで検知される補間総合面積に対応するデジタルポインタ値（ＤＰＶ）を生成するように構成されるか、又は、
前記ＴＳＭを分析し、且つ前記ＴＳＡ上の検出形状の補間位置に対応するデジタルポインタ値（ＤＰＶ）を生成するように構成されるか、又は、
前記ＴＳＭを分析し、且つ長径、短径、及び回転向きを含む検出楕円の補間位置に対応するデジタルポインタ値（ＤＰＶ）を生成するように構成されるか、又は、
前記ＴＳＭを分析し、且つ前記ＴＳＡ上の複数の補間位置に対応するデジタルポインタ値（ＤＰＶ）のベクトルを生成するように構成されるか、又は、
前記ＴＳＭを分析し、且つ前記ＴＳＡ上の複数の補間最大圧力位置に対応するデジタルポインタ値（ＤＰＶ）のベクトルを生成するように構成されるか、又は、
前記ＴＳＭを分析し、且つ前記ＴＳＡに加えられる複数の補間総合力に対応するデジタルポインタ値（ＤＰＶ）のベクトルを生成するように構成されるか、又は、
前記ＴＳＭを分析し、且つ前記ＴＳＡで検知される複数の補間総合面積に対応するデジタルポインタ値（ＤＰＶ）のベクトルを生成するように構成されるか、又は、
前記ＴＳＭを分析し、且つ前記ＴＳＡ上の複数の補間圧力位置に対応するデジタルポインタ値（ＤＰＶ）のベクトルを生成するように構成されるか、又は、
前記ＴＳＭを分析し、且つ前記ＴＳＡ上の複数の検出形状の補間位置に対応するデジタルポインタ値（ＤＰＶ）のベクトルを生成するように構成されるか、又は、
前記ＴＳＭを分析し、且つ前記ＴＳＡ上の複数の検出楕円の補間位置に対応するデジタルポインタ値（ＤＰＶ）のベクトルを生成するように構成され、前記楕円のそれぞれは長径、短径、及び回転向きを含む、請求項１に記載のタッチセンサ検出システム。
【請求項８】
前記ＡＤＣは、
電圧／デジタル変換器又は電流／デジタル変換器のいずれかを含む信号変換器を含み、前記信号変換器は、増幅器、ローパスフィルタ、及びローパスフィルタと増幅器との組合せからなる群から選択される信号調整回路に電気的に結合されるか、又は、
前記ＩＩＲの前記電気状態の過去平均値に基づいてアクティブ化するように構成される動的に調整可能な閾値検出器を備えるか、又は、
電圧／デジタル変換器を含むか、又は、
電流／デジタル変換器を含む、請求項１に記載のタッチセンサ検出システム。
【請求項９】
前記ＩＩＣは、
可変抵抗を備え、前記可変抵抗は、前記ＶＩＡの列を前記ＣＳＲによって定義される前記可変抵抗の抵抗に相互接続するか、又は、
前記ＶＩＡの隣接する列を電気的に結合する複数の抵抗を備えるか、又は、
前記ＶＩＡの隣接する列を電気的に結合する複数のＭＯＳＦＥＴを備えるか、又は、
前記ＶＩＡの隣接する列を電気的に結合する複数のインピーダンスを備えるか、又は、
前記ＶＩＡの隣接する列を電気的に結合する能動回路を備える、請求項１に記載のタッチセンサ検出システム。
【請求項１０】
前記ＩＩＲは、
可変抵抗を備え、前記可変抵抗は、前記ＶＩＡの行を前記ＲＳＲによって定義される前記可変抵抗の抵抗に相互接続するか、又は、
前記ＶＩＡの隣接する行を電気的に結合する複数の抵抗を備えるか、又は、
前記ＶＩＡの隣接する行を電気的に結合する複数のＭＯＳＦＥＴを備えるか、又は、
前記ＶＩＡの隣接する行を電気的に結合する複数のインピーダンスを備えるか、又は、
前記ＶＩＡの隣接する行を電気的に結合する能動回路を備える、請求項１に記載のタッチセンサ検出システム。
【請求項１１】
前記ＩＩＣを相互接続するインピーダンスは、前記ＣＳＲに基づいて動的に構成される、請求項１に記載のタッチセンサ検出システム。
【請求項１２】
前記ＩＩＲを相互接続するインピーダンスは、前記ＲＳＲに基づいて動的に構成される、請求項１に記載のタッチセンサ検出システム。
【請求項１３】
前記ＶＩＡは力センサを備え、前記力センサは、前記力センサに加えられる圧力に基づいて抵抗が変化する、請求項１に記載のタッチセンサ検出システム。
【請求項１４】
タッチセンサ検出システムで動作するように構成されるタッチセンサ検出方法であって、前記タッチセンサ検出システムは、
（ａ）タッチセンサアレイ（ＴＳＡ）と、
（ｂ）アレイ列駆動回路（ＡＣＤ）と、
（ｃ）列切り換えレジスタ（ＣＳＲ）と、
（ｄ）列駆動ソース（ＣＤＳ）と、
（ｅ）アレイ行センサ（ＡＲＳ）と、
（ｆ）行切り換えレジスタ（ＲＳＲ）と、
（ｇ）アナログ／デジタル変換器（ＡＤＣ）と、
（ｈ）計算制御デバイス（ＣＣＤ）と
を備え、
前記ＴＳＡは、可変インピーダンスアレイ（ＶＩＡ）列及びＶＩＡ行を含むＶＩＡを備え、
前記ＶＩＡは、前記ＴＳＡ内の複数の相互リンクインピーダンス列（ＩＩＣ）を前記ＴＳＡ内の複数の相互リンクインピーダンス行（ＩＩＲ）に電気的に結合するように構成され、
前記ＩＩＣは、前記ＶＩＡ列間に電気的に直列接続される複数の個々列インピーダンス要素（ＩＣＩＥ）を更に備え、
前記ＩＩＲは、前記ＶＩＡ行間に電気的に直列接続される複数の個々行インピーダンス要素（ＩＲＩＥ）を更に備え、
前記ＡＣＤは、前記ＣＳＲに基づいて前記ＴＳＡ内の前記ＩＩＣを選択するように構成され、
前記ＡＣＤは、前記ＣＤＳを使用して前記選択されたＩＩＣを電気的に駆動するように構成され、
前記ＡＲＳは、前記ＲＳＲに基づいて前記ＴＳＡ内の前記ＩＩＲを選択するように構成され、
前記ＡＤＣは、前記選択されたＩＩＲの電気状態を検知し、且つ前記電気状態を検知デジタル値（ＳＤＶ）に変換するように構成され、
前記電気状態は、前記ＶＩＡ内の可変インピーダンス要素の電流寄与の和によって特定され、各要素の前記電流寄与は、前記ＶＩＡの前記列間に形成される電圧駆動回路、前記ＶＩＡの前記行間に形成される電流駆動回路、及び前記インピーダンス要素の前記状態によって特定されて、前記ＶＩＡとの所与の行−列交点の検知電流を生成し、及び
前記ＣＣＤは、前記ＴＳＡ内の複数の位置において前記ＡＤＣから前記ＳＤＶをサンプリングして、タッチセンサ行列（ＴＳＭ）データ構造を形成するように構成され、
前記方法は、
（１）前記ＣＣＤの制御下で、前記ＶＩＡ内の前記ＩＩＣを構成するステップと、
（２）前記ＣＣＤの制御下で、前記ＶＩＡ内の前記ＩＩＲを構成するステップと、
（３）前記ＣＣＤの制御下で、前記ＣＤＳを用いて前記ＩＩＣを電気的に刺激するステップと、
（４）前記ＣＣＤの制御下で、前記ＶＩＡ内の所与の行−列交点の検知電流として、前記ＡＤＣを用いて前記ＩＩＲ内の前記電気状態を検知し、且つ前記電気状態をデジタルデータに変換するステップと、
（５）前記ＣＣＤの制御下で、前記デジタルデータを前記ＴＳＭに記憶するステップと、
（６）前記ＣＣＤの制御下で、前記ＣＤＳ、前記ＩＩＣ、及び前記ＩＩＲでの所定の変動が前記ＴＳＭに記録されたか否かを判断し、且つ記録された場合、ステップ（８）に進むステップと、
（７）前記ＣＣＤの制御下で、新しいＶＩＡ検知変動に向けて前記ＣＤＳ、前記ＩＩＣ、及び前記ＩＩＲを再構成し、且つステップ（３）に進むステップと、
（８）前記ＣＣＤの制御下で、ＴＳＭ値を補間して、前記ＶＩＡ内の活動の焦点を特定するステップと、
（９）前記ＣＣＤの制御下で、焦点活動情報をユーザインターフェース入力コマンドシーケンスに変換するステップと、
（１０）前記ＣＣＤの制御下で、行動のために、前記ユーザインターフェース入力コマンドシーケンスをコンピュータシステムに送信し、且つステップ（１）に進むステップとを含む、タッチセンサ検出方法。
【請求項１５】
タッチセンサ検出システムで動作するように構成されるタッチセンサ検出方法を含むコンピュータ可読プログラムコード手段を有する実体的な非一時的コンピュータ使用可能媒体であって、前記タッチセンサ検出システムは、
（ａ）タッチセンサアレイ（ＴＳＡ）と、
（ｂ）アレイ列駆動回路（ＡＣＤ）と、
（ｃ）列切り換えレジスタ（ＣＳＲ）と、
（ｄ）列駆動ソース（ＣＤＳ）と、
（ｅ）アレイ行センサ（ＡＲＳ）と、
（ｆ）行切り換えレジスタ（ＲＳＲ）と、
（ｇ）アナログ／デジタル変換器（ＡＤＣ）と、
（ｈ）計算制御デバイス（ＣＣＤ）と
を備え、
前記ＴＳＡは、可変インピーダンスアレイ（ＶＩＡ）列及びＶＩＡ行を含むＶＩＡを備え、
前記ＶＩＡは、前記ＴＳＡ内の複数の相互リンクインピーダンス列（ＩＩＣ）を前記ＴＳＡ内の複数の相互リンクインピーダンス行（ＩＩＲ）に電気的に結合するように構成され、
前記ＩＩＣは、前記ＶＩＡ列間に電気的に直列接続される複数の個々列インピーダンス要素（ＩＣＩＥ）を更に備え、
前記ＩＩＲは、前記ＶＩＡ行間に電気的に直列接続される複数の個々行インピーダンス要素（ＩＲＩＥ）を更に備え、
前記ＡＣＤは、前記ＣＳＲに基づいて前記ＴＳＡ内の前記ＩＩＣを選択するように構成され、
前記ＡＣＤは、前記ＣＤＳを使用して前記選択されたＩＩＣを電気的に駆動するように構成され、
前記ＡＲＳは、前記ＲＳＲに基づいて前記ＴＳＡ内の前記ＩＩＲを選択するように構成され、
前記ＡＤＣは、前記選択されたＩＩＲの電気状態を検知し、且つ前記電気状態を検知デジタル値（ＳＤＶ）に変換するように構成され、
前記電気状態は、前記ＶＩＡ内の可変インピーダンス要素の電流寄与の和によって特定され、各要素の前記電流寄与は、前記ＶＩＡの前記列間に形成される電圧駆動回路、前記ＶＩＡの前記行間に形成される電流駆動回路、及び前記インピーダンス要素の前記状態によって特定されて、前記ＶＩＡとの所与の行−列交点の検知電流を生成し、及び
前記ＣＣＤは、前記ＴＳＡ内の複数の位置において前記ＡＤＣから前記ＳＤＶをサンプリングして、タッチセンサ行列（ＴＳＭ）データ構造を形成するように構成され、
前記方法は、
（１）前記ＣＣＤの制御下で、前記ＶＩＡ内の前記ＩＩＣを構成するステップと、
（２）前記ＣＣＤの制御下で、前記ＶＩＡ内の前記ＩＩＲを構成するステップと、
（３）前記ＣＣＤの制御下で、前記ＣＤＳを用いて前記ＩＩＣを電気的に刺激するステップと、
（４）前記ＣＣＤの制御下で、前記ＶＩＡ内の所与の行−列交点の検知電流として、前記ＡＤＣを用いて前記ＩＩＲ内の前記電気状態を検知し、且つ前記電気状態をデジタルデータに変換するステップと、
（５）前記ＣＣＤの制御下で、前記デジタルデータを前記ＴＳＭに記憶するステップと、
（６）前記ＣＣＤの制御下で、前記ＣＤＳ、前記ＩＩＣ、及び前記ＩＩＲでの所定の変動が前記ＴＳＭに記録されたか否かを判断し、且つ記録された場合、ステップ（８）に進むステップと、
（７）前記ＣＣＤの制御下で、新しいＶＩＡ検知変動に向けて前記ＣＤＳ、前記ＩＩＣ、及び前記ＩＩＲを再構成し、且つステップ（３）に進むステップと、
（８）前記ＣＣＤの制御下で、ＴＳＭ値を補間して、前記ＶＩＡ内の活動の焦点を特定するステップと、
（９）前記ＣＣＤの制御下で、焦点活動情報をユーザインターフェース入力コマンドシーケンスに変換するステップと、
（１０）前記ＣＣＤの制御下で、行動のために、前記ユーザインターフェース入力コマンドシーケンスをコンピュータシステムに送信し、且つステップ（１）に進むステップとを含む、実体的な非一時的コンピュータ使用可能媒体。